(57)【要約】      （修正有）【課題】簡単な構造により低コスト化を達成しながら、空調作動時にフィルター機能を発揮しながら、熱交換器へ熱交換媒体の供給が停止された後、潜熱を有効に利用して所定時間だけ車室内の暖房や冷房の補完を行う。【解決手段】空調ケース２内に上流の送風機３側から下流の吹き出し口１４，１５，１６，１７側に向かって順に、エバポレータ５、エアミックスドア６、ヒータコア７、を配置し、エバポレータ５とヒータコア７を通過する温風通路８と、エバポレータ５を通過しヒータコア７をバイパスする冷風バイパス通路９と、温風と冷風とが合流するエアミックスチャンバー１０と、が形成された空調ユニット１Ａにおいて、エバポレータ５とヒータコア７のうち、少なくとも一方の熱交換器の後流側通路内に、風の流れに直交する配置により蓄熱フィルター１８を設定した。【選択図】図１
2008120217.tif 000002
【特許請求の範囲】
【請求項１】
空調ケース内に上流の送風機側から下流の吹き出し口側に向かって順に、冷房用熱交換器、エアミックスドア、暖房用熱交換器、を配置し、前記冷房用熱交換器と前記暖房用熱交換器を通過する温風通路と、前記冷房用熱交換器を通過し前記暖房用熱交換器をバイパスする冷風バイパス通路と、温風と冷風とが合流するエアミックスチャンバーと、が形成された車両用空気調和装置において、
前記冷房用熱交換器と前記暖房用熱交換器のうち、少なくとも一方の熱交換器の後流側通路内に、風の流れに直交する配置により蓄熱フィルターを設定し、
前記蓄熱フィルターは、固相・液相の相変化を伴って放出あるいは吸収される潜熱により蓄熱を行う潜熱蓄熱材を含有することを特徴とする車両用空気調和装置。
【請求項２】
請求項１に記載された車両用空気調和装置において、
前記蓄熱フィルターは、球状皮膜の内部にパラフィン系素材を封入してマイクロカプセル化したパラフィン封入カプセルを潜熱蓄熱材としたことを特徴とする車両用空気調和装置。
【請求項３】
請求項１または請求項２に記載された車両用空気調和装置において、
前記蓄熱フィルターは、フィルター基材として断面波形の不織布を用い、該フィルター基材にパラフィン封入カプセルを捕捉して構成したことを特徴とする車両用空気調和装置。
【請求項４】
請求項１乃至請求項３の何れか１項に記載された車両用空気調和装置において、
前記蓄熱フィルターは、温熱の蓄熱を行う潜熱蓄熱材を含有させた温熱用蓄熱フィルターであり、前記潜熱蓄熱材の液相・固相の相変化温度を、５０℃〜７０℃に設定したことを特徴とする車両用空気調和装置。
【請求項５】
請求項４に記載された車両用空気調和装置において、
前記温熱用蓄熱フィルターは、前記暖房用熱交換器の熱交換面の直後の位置であって、温風の流れに直交する配置により設定したことを特徴とする車両用空気調和装置。
【請求項６】
請求項４に記載された車両用空気調和装置において、
前記温熱用蓄熱フィルターは、フットドアの直後の位置であって、温風の流れに直交する配置により設定したことを特徴とする車両用空気調和装置。
【請求項７】
請求項４に記載された車両用空気調和装置において、
前記温熱用蓄熱フィルターは、前席左右のフット吹き出し口の位置であって、温風の流れに直交する配置により設定したことを特徴とする車両用空気調和装置。
【請求項８】
請求項１乃至請求項３の何れか１項に記載された車両用空気調和装置において、
前記蓄熱フィルターは、冷熱の蓄熱を行う潜熱蓄熱材を含有させた冷熱用蓄熱フィルターであり、前記潜熱蓄熱材の液相・固相の相変化温度を、２℃〜７℃に設定したことを特徴とする車両用空気調和装置。
【請求項９】
請求項８に記載された車両用空気調和装置において、
前記冷熱用蓄熱フィルターは、前記冷房用熱交換器の熱交換面の直後の位置であって、冷風の流れに直交する配置により設定したことを特徴とする車両用空気調和装置。
【請求項１０】
請求項８に記載された車両用空気調和装置において、
前記冷熱用蓄熱フィルターは、ベント吹き出し口の位置であって、冷風の流れに直交する配置により設定したことを特徴とする車両用空気調和装置。
【請求項１１】
請求項４及び請求項８に記載された車両用空気調和装置において、
前記温熱用蓄熱フィルターは、デフ吹き出し口の位置であって、温風の流れに直交する配置により設定し
前記冷熱用蓄熱フィルターは、ベント吹き出し口の位置であって、冷風の流れに直交する配置により設定したことを特徴とする車両用空気調和装置。
【発明の詳細な説明】
【技術分野】
【０００１】
本発明は、空調ケース内に上流の送風機側から下流の吹き出し口側に向かって順に、冷房用熱交換器、エアミックスドア、暖房用熱交換器、を配置した車両用空気調和装置に関する。
【背景技術】
【０００２】
従来、蒸発器への蓄冷機能の付加と蒸発器の小型化との両立を図ることを目的とし、エバポレータ（冷房用熱交換器）の冷媒通路の外側に蓄冷材の収容スペースを２重管構造のチューブにより構成し、エバポレータに冷媒が供給されなくなったとき、蓄冷材が熱を奪うように設定した車両用空気調和装置が知られている（例えば、特許文献１参照）。
【０００３】
従来、エンジン冷却水が暖房及び蓄熱をするのに十分な熱量を持ってから蓄熱することを目的とし、空調ケースの内部に配置されるヒータコアと水冷エンジンの冷却水路を結ぶエンジン冷却水回路の途中位置に蓄熱材を設定した蓄熱装置を設け、かつ、蓄熱装置をバイパスするバイパス冷却水路を設けた車両用空気調和装置が知られている（例えば、特許文献２参照）。
【特許文献１】特開２０００−２０５７７７号公報
【特許文献２】特開平１０−８６６４５号公報
【発明の開示】
【発明が解決しようとする課題】
【０００４】
しかしながら、上記特許文献１に記載されている従来の車両用空気調和装置にあっては、エバポレータの冷媒通路の外側に蓄冷材の収容スペースを２重管構造のチューブにより構成するものであるため、既存のエバポレータに代え、新たに設計変更したエバポレータを用意する必要があるし、構造的にも複雑となり、コストが高くなる、という問題があった。
【０００５】
また、上記特許文献２に記載されている従来の車両用空気調和装置にあっては、エンジン冷却水回路（温水回路）とは別に、蓄熱回路と蓄熱装置を設け、エンジン停止時にポンプ及び電磁弁を使って蓄熱装置の温水をヒータコアに送り放熱させるものであるため、構造が複雑で、占有スペースも大きく必要であり、コストが高くなると共に、配管経路により蓄えた潜熱の一部を損失してしまう、という問題があった。
【０００６】
本発明は、上記問題に着目してなされたもので、スペース占有を最小限に抑え、簡単な構造により低コスト化を達成しながら、空調作動時にフィルター機能を発揮しながら、空調作動時にフィルター機能を発揮しながら、熱交換器へ熱交換媒体の供給が停止された後、潜熱を有効に利用して所定時間だけ車室内の暖房や冷房の補完を行うことができる車両用空気調和装置を提供することを目的とする。
【課題を解決するための手段】
【０００７】
上記目的を達成するため、本発明では、空調ケース内に上流の送風機側から下流の吹き出し口側に向かって順に、冷房用熱交換器、エアミックスドア、暖房用熱交換器、を配置し、前記冷房用熱交換器と前記暖房用熱交換器を通過する温風通路と、前記冷房用熱交換器を通過し前記暖房用熱交換器をバイパスする冷風バイパス通路と、温風と冷風とが合流するエアミックスチャンバーと、が形成された車両用空気調和装置において、
前記冷房用熱交換器と前記暖房用熱交換器のうち、少なくとも一方の熱交換器の後流側通路内に、風の流れに直交する配置により蓄熱フィルターを設定し、
前記蓄熱フィルターは、固相・液相の相変化を伴って放出あるいは吸収される潜熱により蓄熱を行う潜熱蓄熱材を含有することを特徴とする。
【発明の効果】
【０００８】
よって、本発明の車両用空気調和装置にあっては、冷房用熱交換器と暖房用熱交換器のうち、少なくとも一方の熱交換器の後流側通路内に、風の流れに直交する配置により固相・液相の相変化を伴って放出あるいは吸収される潜熱により蓄熱（「温熱の蓄熱」と「冷熱の蓄熱」）を行う潜熱蓄熱材を含有する蓄熱フィルターが設定される。
すなわち、蓄熱フィルターは、従来技術のように、エバポレータに蓄冷材の収容スペースを構成するものでもないし、また、蓄熱回路と蓄熱装置を設けるものでもない。したがって、例えば、既存の空調ケース内に既存の熱交換器を用いたままで、蓄熱フィルターを設定できるというように、スペース占有が最小限に抑えられるし、簡単な構造により低コスト化も達成される。
例えば、暖房用熱交換器へ熱交換媒体が供給されているとき、蓄熱フィルターに含有する潜熱蓄熱材が、固相から液相への相変化を伴って吸収した熱エネルギー（潜熱）を、暖房用空調作動時にフィルター機能を発揮しながら、熱交換器へ熱交換媒体の供給が停止された後、液相から固相への相変化を伴って放出することで蓄熱フィルターを通過する風に熱を与え、熱交換媒体の供給停止後、所定時間だけ車室内の暖房を補完する。
例えば、冷房用熱交換器へ熱交換媒体が供給されているとき、蓄熱フィルターに含有する潜熱蓄熱材が、液相から固相への相変化を伴って放出した熱エネルギー（潜熱）を、冷房用空調作動時にフィルター機能を発揮しながら、熱交換器へ熱交換媒体の供給が停止された後、固相から液相への相変化を伴って吸収することで蓄熱フィルターを通過する風から熱を奪い、熱交換媒体の供給停止後、所定時間だけ車室内の冷房を補完する。
この結果、スペース占有を最小限に抑え、簡単な構造により低コスト化を達成しながら、空調作動時にフィルター機能を発揮しながら、熱交換器へ熱交換媒体の供給が停止された後、潜熱を有効に利用して所定時間だけ車室内の暖房や冷房の補完を行うことができる。
【発明を実施するための最良の形態】
【０００９】
以下、本発明の車両用空気調和装置を実現する最良の形態を、図面に示す実施例１〜実施例６に基づいて説明する。
【実施例１】
【００１０】
まず、構成を説明する。
【００１１】
図１は実施例１の前後席の温度調整を行う空調ユニット１Ａ（車両用空気調和装置の一例）を示す縦断面図、図２は実施例１の空調ユニット１Ａに設定された温熱用蓄熱フィルター１８を示す図で、(a)は温熱用蓄熱フィルター１８の斜視図を示し、(b)は温熱用蓄熱フィルター１８の断面図を示す。
【００１２】
実施例１における空調ユニット１Ａは、図１に示すように、空調ケース２と、送風機３と、クリーンフィルタ４と、エバポレータ５（冷却用熱交換器）と、エアミックスドア６と、ヒータコア７（暖房用熱交換器）と、温風通路８と、冷風バイパス通路９と、エアミックスチャンバー１０と、ベントドア１１と、デフドア１２と、フットドア１３と、ベント吹き出し口１４と、デフ吹き出し口１５と、フット吹き出し口１６と、リアフット吹き出し口１７と、を備えている。
【００１３】
実施例１における空調ユニット１Ａは、空調ケース２内に上流の送風機３側から下流の吹き出し口１４，１５，１６，１７側に向かって順に、エバポレータ５、エアミックスドア６、ヒータコア７を配置している。
【００１４】
前記エバポレータ５は、送風機３及びクリーンフィルタ４を介して通過する内気または外気を冷却する熱交換器であり、冷媒入口５ａと冷媒出口５ｂを有する。
【００１５】
前記エアミックスドア６は、前記エバポレータ５の後流位置に配置され、エバポレータ５を経過した冷風と、ヒータコア７を経過した温風と、の混合割合をドア開度により制御する。このエアミックスドア６としては、冷風バイパス通路９を塞ぐフルホット位置（図１の実線に示す位置）からヒータコア７の上流側を塞ぐフルクール位置（図１の仮想線に示す位置）までのストローク域でスライド移動可能なスライド式ドアを採用している。
【００１６】
前記ヒータコア７は、前記エバポレータ５及び前記エアミックスドア６の下流位置に配置され、通過する風を暖める熱交換器であり、エンジン冷却水入口７ａとエンジン冷却水出口７ｂを有する。
【００１７】
前記空調ケース２内には、図１に示すように、エバポレータ５とヒータコア７を通過する温風通路８と、エバポレータ５を通過しヒータコア７をバイパスする冷風バイパス通路９と、温風通路８からの温風と冷風バイパス通路９からの冷風が合流するエアミックスチャンバー１０と、が形成される。
【００１８】
前記エアミックスチャンバー１０の下流側には、ベント吹き出し口１４の位置に配置され、ベントモード等で開くベントドア１１と、デフ吹き出し口１５の位置に配置され、デフモード等で開くデフドア１２と、車幅方向に延びるフット吹き出し口１６，１６の上流位置に配置され、フットモード等で開くフットドア１３と、が配置される。
なお、フット吹き出し口１６，１６は、前席左右の運転者と助手席乗員の足元に向かって一対配置され（図５参照）、該フット吹き出し口１６，１６と並列中央位置には、後席への図外のリアフットダクトが連結されるリアフット吹き出し口１７が配置される。
【００１９】
前記ヒータコア７の後流側通路内には、風の流れに直交する配置により温熱用蓄熱フィルター１８（蓄熱フィルター）を設定している。実施例１では、図１に示すように、温熱用蓄熱フィルター１８を、ヒータコア７の熱交換面の直後の位置に設定している。
【００２０】
前記温熱用蓄熱フィルター１８は、固相・液相の相変化を伴って放出あるいは吸収される潜熱により蓄熱を行う潜熱蓄熱材のうち、固相から液相への相変化を伴って吸収した熱エネルギー（潜熱）を、ヒータコア７へエンジン冷却水（熱交換媒体）の供給が停止された後、液相から固相への相変化を伴って放出する「温熱の蓄熱」を行う潜熱蓄熱材を含有させたものである。
【００２１】
前記温熱用蓄熱フィルター１８の構成を詳しく述べると、図２(b)に示すように、球状皮膜の内部にパラフィン系素材を封入してマイクロカプセル化したパラフィン封入カプセル１８ａを潜熱蓄熱材とし、メッシュ状の不織布をつづら折りにすることで断面形状を三角波形としてフィルター基材１８ｂとし、このフィルター基材１８ｂにパラフィン封入カプセル１８ａを織り込んで捕捉した蓄熱カプセル入りフィルターとしている。
ここで、潜熱蓄熱材として、パラフィン系素材を用いた理由は、融解点（融解温度）や凝固点（凝固温度）による相変化温度を設定するに際し、炭素鎖数に対応し広範な温度域（−５０℃〜８０℃）をカバーすることができるし、蓄熱量（溶融潜熱）も１３０〜２５０kJ/kg程度であり、他の素材に比べて高いことによる。
【００２２】
また、前記パラフィン封入カプセル１８ａの液相・固相の相変化温度は、５０℃〜７０℃に設定している。
例えば、実施例１のように、エンジン冷却水をヒータコア７に循環させる空調ユニット１Ａの場合には、相変化温度は、５０℃〜６０℃程度もしくは、これ以上が好ましい。その理由は、エンジン冷却水温は冬季等では８０℃に満たないケースもあり、かつ、暖かいと感じられる吹き出し温度は３０℃であるため、吹き出し温度３０℃以上を得るのに必要な相変化温度は、上記のように、５０℃〜６０℃程度もしくは、これ以上（５０℃〜７０℃）の温度になることによる。
【００２３】
次に、作用を説明する。
【００２４】
実施例１の空調ユニット１Ａでは、図１に示すように、エバポレータ５とヒータコア７のうち、一方のヒータコア７の後流側通路内であって、ヒータコア７の熱交換面の直後の位置に、風の流れに直交する配置により固相・液相の相変化を伴って放出あるいは吸収される潜熱により「温熱の蓄熱」を行う潜熱蓄熱材を含有する温熱用蓄熱フィルター１８が設定される。以下、［低コスト化作用］と［車室内暖房の補完作用］について説明する。
【００２５】
［低コスト化作用］
例えば、特開平１０−８６６４５号公報に記載されている従来の車両用空気調和装置は、ヒータコアに流通させる熱交換媒体を潜熱により加熱させるという点に着目し、エンジン冷却水回路（温水回路）とは別に、蓄熱回路と蓄熱装置を設け、寒冷地での発進時やエンジン停止時、ポンプ及び電磁弁を使って蓄熱装置の温水をヒータコアに送り放熱させるものである。このため、エンジン冷却水回路に蓄熱回路と蓄熱装置を追加設定する必要があり、構造が複雑になると共に、占有スペースも大きく必要であり、コストが高くなる。また、配管経路により蓄熱装置にて蓄えた潜熱の一部を損失してしまう。
【００２６】
これに対し、実施例１の空調ユニット１Ａでは、ヒータコア７の直後位置から吹き出し口に至る空調ケース２内の送風を潜熱により加熱させるという点に着目し、ヒータコア７の後流側通路内に、潜熱蓄熱材を含有する温熱用蓄熱フィルター１８を設定する構成を採用した。このように、潜熱による加熱対象を、熱交換媒体ではなく、ケース内を流れる送風そのものとしたため、従来技術のように、蓄熱回路と蓄熱装置を設ける必要がない。
【００２７】
したがって、図１に示すように、既存の空調ケース２内に既存のエバポレータ５やヒータコア７を用いたままで、温熱用蓄熱フィルター１８を設定できるというように、スペース占有が最小限に抑えられるし、簡単な構造により低コスト化も達成される。
【００２８】
［車室内暖房の補完作用］
例えば、温熱用蓄熱フィルター１８が設定されていない空調ユニットを想定した場合、エンジンを一時的に停止させるアイドルストップ時、循環ポンプの停止により、エンジン冷却水のヒータコア内流通も停止する。したがって、ヒータコア内のエンジン冷却水に蓄えられているだけの熱エネルギー（顕熱）がエンジン停止時の残留熱エネルギーであるが、エバポレータを経過した冷風によりヒータコアの残留熱が奪われることで、エンジン停止時から短時間のうちに顕熱分の熱エネルギーは消費され、吹き出し温度がエンジン停止直後から急激に低下する。ちなみに、温熱用蓄熱フィルター無しの場合、図３の点線特性に示すように、エンジン停止直後から吹き出し温度が急激に低下し、約３０秒程度で７０℃あった吹き出し温度が３０℃まで低下してしまう。
【００２９】
これに対し、実施例１の空調ユニット１Ａの場合、温熱用蓄熱フィルター１８がヒータコア７の直後位置に設定されている。このため、エンジンを一時的に停止させるアイドルストップ時、循環ポンプの停止により、ヒータコア７内のエンジン冷却水に蓄えられているだけの熱エネルギー（顕熱）については、エンジン停止直後から短時間にて消費する。しかし、ヒータコア７へエンジン冷却水が供給されているとき、温熱用蓄熱フィルター１８に含有するパラフィン封入カプセル１８ａ内のパラフィンが固相から液相への相変化を伴って熱エネルギー（潜熱）を吸収する。そして、ヒータコア７へエンジン冷却水の供給が停止された後、パラフィン封入カプセル１８ａ内のパラフィンが液相から固相への相変化を伴って潜熱を放出することで、温熱用蓄熱フィルター１８を通過する風に熱を与える。このため、エンジン冷却水の供給停止後、所定時間だけ車室内の暖房を補完することができる。例えば、図１に示すように、フットドア１３を開としている場合には、前席左右と後席の乗員の足元位置に温風を送り続けることができることになる。
【００３０】
ここで、「顕熱」とは、通常の固体や液体が相変化なしに蓄えた熱エネルギーのことであり、一方、「潜熱」とは、水が氷になるような液体・固体間の相変化に伴い放出あるいは吸収される熱エネルギーのことをいう。そして、一般に、潜熱を用いることで、顕熱の場合よりも桁違いに大きい熱量を蓄えることができる。例えば、水の場合、１℃の変化の顕熱は、４．１８J/gであるのに対し、０℃の水が凍って０℃の氷になるときの潜熱は、３３４J/gに達する。
【００３１】
したがって、温熱用蓄熱フィルター１８を設定した実施例１の場合、図３の実線特性に示すように、エンジン停止直後から相変化温度までは吹き出し温度が低下するが、相変化温度に達した後は、パラフィン封入カプセル１８ａに蓄えられた潜熱により吹き出し温度の低下が抑えられる。ちなみに、温熱用蓄熱フィルター１８を設定した場合、図３の実線特性と点線特性との間のハッチング領域が潜熱効果をあらわし、エンジン停止時に７０℃あった吹き出し温度が３０℃まで低下するのに２分程度要することになる。これを言い換えると、エンジン停止後、２分間だけは、車室内暖房の補完を行うことができる。
【００３２】
次に、効果を説明する。
実施例１の空調ユニット１Ａにあっては、下記に列挙する効果を得ることができる。
【００３３】
(1) 空調ケース２内に上流の送風機３側から下流の吹き出し口１４，１５，１６，１７側に向かって順に、エバポレータ５、エアミックスドア６、ヒータコア７、を配置し、前記エバポレータ５と前記ヒータコア７を通過する温風通路８と、前記エバポレータ５を通過し前記ヒータコア７をバイパスする冷風バイパス通路９と、温風と冷風とが合流するエアミックスチャンバー１０と、が形成された空調ユニット１Ａにおいて、前記エバポレータ５と前記ヒータコア７のうち、少なくとも一方の熱交換器の後流側通路内に、風の流れに直交する配置により蓄熱フィルターを設定し、前記蓄熱フィルターは、固相・液相の相変化を伴って放出あるいは吸収される潜熱により蓄熱を行う潜熱蓄熱材を含有するため、スペース占有を最小限に抑え、簡単な構造により低コスト化を達成しながら、空調作動時にフィルター機能を発揮しながら、熱交換器へ熱交換媒体の供給が停止された後、潜熱を有効に利用して所定時間だけ車室内の暖房や冷房の補完を行うことができる。
【００３４】
(2) 前記蓄熱フィルターは、球状皮膜の内部にパラフィン系素材を封入してマイクロカプセル化したパラフィン封入カプセル１８ａを潜熱蓄熱材としたため、マイクロカプセル化によりパラフィンの持つ揮発性を抑えることができると共に、相変化温度を炭素数に対応する広範な温度域から高い自由度により設定することができる。
【００３５】
(3) 前記蓄熱フィルターは、フィルター基材１８ｂとして断面波形の不織布を用い、該フィルター基材１８ｂにパラフィン封入カプセル１８ａを捕捉して構成したため、断面波形としたことにより蓄熱フィルターでの集熱面積および放熱面積を広く確保することができると共に、不織布を採用したことによりパラフィン封入カプセル１８ａの高い捕捉効果と、送風に含まれる塵埃を除去する高いフィルター効果を発揮することができる。
【００３６】
(4) 前記蓄熱フィルターは、温熱の蓄熱を行う潜熱蓄熱材を含有させた温熱用蓄熱フィルター１８であり、前記潜熱蓄熱材の液相・固相の相変化温度を、５０℃〜７０℃に設定したため、暖かいと感じられる吹き出し温度を確保しつつ、ヒータコア７へエンジン冷却水の供給が停止された後、潜熱を有効に利用して所定時間だけ車室内の暖房補完を行うことができる。
【００３７】
(5) 前記温熱用蓄熱フィルター１８は、前記ヒータコア７の熱交換面の直後の位置であって、温風の流れに直交する配置により設定したため、固相から液相への相変化を伴う熱エネルギーの吸収と、液相から固相への相変化を伴う熱エネルギーの放出を、応答性の高いヒータコア７の直後温度の変化に対応して効果的に行うことができる。
【実施例２】
【００３８】
実施例２は、温熱用蓄熱フィルター１８をフットドア１３の直後の位置に設定した例である。
【００３９】
まず、構成を説明する。
図４は実施例２の前後席の温度調整を行う空調ユニット１Ｂ（車両用空気調和装置の一例）を示す縦断面図である。
【００４０】
実施例２の空調ユニット１Ｂは、図４に示すように、空調ケース２と、送風機３と、クリーンフィルタ４と、エバポレータ５と、エアミックスドア６と、ヒータコア７と、温風通路８と、冷風バイパス通路９と、エアミックスチャンバー１０と、ベントドア１１と、デフドア１２と、フットドア１３と、ベント吹き出し口１４と、デフ吹き出し口１５と、フット吹き出し口１６と、リアフット吹き出し口１７と、温熱用蓄熱フィルター１８と、を備えている。
【００４１】
前記温熱用蓄熱フィルター１８は、図４に示すように、フットドア１３の直後の位置であって、温風の流れに直交する配置により設定している。なお、他の構成は、実施例１と同様であるので、対応する構成に同一符号を付し、説明を省略する。
【００４２】
次に、実施例２の空調ユニット１Ｂにおける車室内暖房の補完作用を説明する。
実施例２の空調ユニット１Ｂの場合、温熱用蓄熱フィルター１８がフットドア１３の直後の位置に設定されている。このため、フットモード等のようにフットドア１３を開くモードの選択時であって、エンジンを一時的に停止させるアイドルストップ時、実施例１の場合と同様に、顕熱作用と潜熱作用の併合作用により、温熱用蓄熱フィルター１８を風が通過する際、フット吹き出し口１６と、リアフット吹き出し口１７に導かれる風に熱が与えられる。このため、エンジン冷却水の供給停止後、所定時間だけ前席左右と後席の乗員の足元位置に温風を送り続けることができることになる。
【００４３】
次に、効果を説明する。
実施例２の空調ユニット１Ｂにあっては、実施例１の(1)〜(4)の効果に加え、下記の効果を得ることができる。
【００４４】
(6) 前記温熱用蓄熱フィルター１８は、フットドア１３の直後の位置であって、温風の流れに直交する配置により設定したため、ヒータコア７へエンジン冷却水の供給が停止された後、潜熱を有効に利用して所定時間だけ前席左右と後席の乗員の足元位置に温風を送り続けることができる。
【実施例３】
【００４５】
実施例３は、温熱用蓄熱フィルター１８，１８を前席左右のフット吹き出し口１６，１６の位置に設定した例である。
【００４６】
まず、構成を説明する。
図５は実施例３の前後席の温度調整を行う空調ユニット１Ｃ（車両用空気調和装置の一例）を示す正面図である。
【００４７】
実施例３の空調ユニット１Ｃは、図５に示すように、空調ケース２と、送風機３と、フット吹き出し口１６と、リアフット吹き出し口１７と、温熱用蓄熱フィルター１８と、リアフットダクト１９と、を備えている。
【００４８】
前記温熱用蓄熱フィルター１８，１８は、図５に示すように、前席左右のフット吹き出し口１６，１６の位置であって、温風の流れに直交する配置により設定している。なお、他の構成は、実施例１と同様であるので、図示並びに説明を省略する。
【００４９】
次に、実施例３の空調ユニット１Ｃにおける車室内暖房の補完作用を説明する。
実施例３の空調ユニット１Ｃの場合、温熱用蓄熱フィルター１８，１８が前席左右のフット吹き出し口１６，１６の位置に設定されている。このため、フットモード等のようにフットドア１３を開くモードの選択時であって、エンジンを一時的に停止させるアイドルストップ時、実施例１の場合と同様に、顕熱作用と潜熱作用の併合作用により、温熱用蓄熱フィルター１８，１８を風が通過する際、フット吹き出し口１６，１６に導かれる風に熱が与えられる。このため、エンジン冷却水の供給停止後、所定時間だけ前席左右の乗員の足元位置に温風を送り続けることができることになる。
【００５０】
次に、効果を説明する。
実施例３の空調ユニット１Ｃにあっては、実施例１の(1)〜(4)の効果に加え、下記の効果を得ることができる。
【００５１】
(7) 前記温熱用蓄熱フィルター１８は、前席左右のフット吹き出し口１６，１６の位置であって、温風の流れに直交する配置により設定したため、ヒータコア７へエンジン冷却水の供給が停止された後、潜熱を有効に利用して所定時間だけ前席左右の乗員の足元位置に温風を送り続けることができる。
【実施例４】
【００５２】
実施例４は、冷熱の蓄熱を行う潜熱蓄熱材を含有させた冷熱用蓄熱フィルター２０を用い、この冷熱用蓄熱フィルターを、エバポレータ５の熱交換面の直後の位置に設定した例である。
【００５３】
まず、構成を説明する。
図６は実施例４の前後席の温度調整を行う空調ユニット１Ｄ（車両用空気調和装置の一例）を示す縦断面図である。
【００５４】
実施例４の空調ユニット１Ｄは、図６に示すように、空調ケース２と、送風機３と、クリーンフィルタ４と、エバポレータ５と、エアミックスドア６と、ヒータコア７と、温風通路８と、冷風バイパス通路９と、エアミックスチャンバー１０と、ベントドア１１と、デフドア１２と、フットドア１３と、ベント吹き出し口１４と、デフ吹き出し口１５と、フット吹き出し口１６と、リアフット吹き出し口１７と、冷熱用蓄熱フィルター２０と、を備えている。
【００５５】
前記冷熱用蓄熱フィルター２０は、固相・液相の相変化を伴って放出あるいは吸収される潜熱により蓄熱を行う潜熱蓄熱材のうち、液相から固相への相変化を伴って放出した熱エネルギー（潜熱）を、エバポレータ５へ冷媒（熱交換媒体）の供給が停止された後、固相から液相への相変化を伴って吸収する「冷熱の蓄熱」を行う潜熱蓄熱材を含有させたものである。
【００５６】
前記冷熱用蓄熱フィルター２０の構成は、図２(a),(b)に示す温熱用蓄熱フィルター１８と同様に、球状皮膜の内部にパラフィン系素材を封入してマイクロカプセル化したパラフィン封入カプセル１８ａを潜熱蓄熱材とし、メッシュ状の不織布をつづら折りにすることで断面形状を三角波形としてフィルター基材１８ｂとし、このフィルター基材１８ｂにパラフィン封入カプセル１８ａを織り込んで捕捉した蓄熱カプセル入りフィルターとしている。
ここで、潜熱蓄熱材として、パラフィン系素材を用いた理由は、融解点（融解温度）や凝固点（凝固温度）による相変化温度を設定するに際し、炭素鎖数に対応し広範な温度域（−５０℃〜８０℃）をカバーすることができるし、蓄熱量（溶融潜熱）も１３０〜２５０kJ/kg程度であり、他の素材に比べて高いことによる。
【００５７】
また、前記パラフィン封入カプセル１８ａの液相・固相の相変化温度は、２℃〜７℃に設定している。
例えば、実施例４のように、冷媒をエバポレータ５に循環させる空調ユニット１Ｄの場合には、相変化温度は、４℃〜５℃程度が好ましい。その理由は、夏季等で涼しいと感じられる吹き出し温度は１０℃程度であるため、吹き出し温度１０℃程度を得るのに必要な相変化温度は、４℃〜５℃に前後温度を含めた２℃〜７℃の温度になることによる。
【００５８】
前記冷熱用蓄熱フィルター２０は、図６に示すように、エバポレータ５の熱交換面の直後の位置であって、冷風の流れに直交する配置により設定している。
なお、図６に符号を付した他の構成は、実施例１の図１と同様であるので、説明を省略する。
【００５９】
次に、作用を説明する。
実施例４の空調ユニット１Ｄの場合、冷熱用蓄熱フィルター２０がエバポレータ５の直後位置に設定されている。このため、エンジンを一時的に停止させるアイドルストップ時、コンプレッサの停止により、エバポレータ５内の冷媒に蓄えられているだけの熱エネルギー（顕熱）については、エンジン停止直後から短時間にて消費する。しかし、エバポレータ５へ冷媒が供給されているとき、冷熱用蓄熱フィルター２０に含有するパラフィン封入カプセル１８ａ内のパラフィンが液相から固相への相変化を伴って熱エネルギー（潜熱）を放出する。そして、エバポレータ５へ冷媒の供給が停止された後、パラフィン封入カプセル１８ａ内のパラフィンが固相から液相への相変化を伴って潜熱を吸収することで、冷熱用蓄熱フィルター２０を通過する風から熱を奪う。このため、冷媒の供給停止後、所定時間だけ車室内の冷房を補完することができる。例えば、図６に示すように、ベントドア１１を開としている場合には、前席左右の乗員の顔面位置に冷風を送り続けることができることになる。
【００６０】
したがって、冷熱用蓄熱フィルター２０を設定した実施例４の場合、エンジン停止直後から相変化温度になるまでは吹き出し温度が上昇するが、相変化温度に達した後は、パラフィン封入カプセル１８ａに蓄えられた潜熱により吹き出し温度の上昇が抑えられる。したがって、冷熱用蓄熱フィルター２０を設定した場合、エンジン停止後、所定時間だけ、車室内冷房の補完を行うことができる。
【００６１】
次に、効果を説明する。
実施例４の空調ユニット１Ｄにあっては、実施例１の(1)〜(3)の効果に加え、下記に列挙する効果を得ることができる。
【００６２】
(8) 前記蓄熱フィルターは、冷熱の蓄熱を行う潜熱蓄熱材を含有させた冷熱用蓄熱フィルター２０であり、前記潜熱蓄熱材の液相・固相の相変化温度を、２℃〜７℃に設定したため、乗員が涼しいと感じる吹き出し温度を確保しつつ、エバポレータ５へ冷媒の供給が停止された後、潜熱を有効に利用して所定時間だけ車室内の冷房補完を行うことができる。
【００６３】
(9) 前記冷熱用蓄熱フィルター２０は、前記エバポレータ５の熱交換面の直後の位置であって、冷風の流れに直交する配置により設定したため、液相から固相への相変化を伴う熱エネルギーの放出と、固相から液相への相変化を伴う熱エネルギーの吸収を、応答性の高いエバポレータ５の直後温度の変化に対応して効果的に行うことができる。
【実施例５】
【００６４】
実施例５は、冷熱用蓄熱フィルター２０をベント吹き出し口１４の位置に設定した例である。
【００６５】
まず、構成を説明する。
図７は実施例５の前後席の温度調整を行う空調ユニット１Ｅ（車両用空気調和装置の一例）を示す縦断面図である。
【００６６】
実施例５の空調ユニット１Ｅは、図７に示すように、空調ケース２と、送風機３と、クリーンフィルタ４と、エバポレータ５と、エアミックスドア６と、ヒータコア７と、温風通路８と、冷風バイパス通路９と、エアミックスチャンバー１０と、ベントドア１１と、デフドア１２と、フットドア１３と、ベント吹き出し口１４と、デフ吹き出し口１５と、フット吹き出し口１６と、リアフット吹き出し口１７と、冷熱用蓄熱フィルター２０と、デフダクト２１と、ベントダクト２２と、ベントグリル２３と、を備えている。
【００６７】
前記冷熱用蓄熱フィルター２０は、図７に示すように、ベント吹き出し口１４の位置であって、冷風の流れに直交する配置により設定している。なお、他の構成は、実施例１と同様であるので、図示並びに説明を省略する。
【００６８】
次に、実施例５の空調ユニット１Ｅにおける車室内冷房の補完作用を説明する。
実施例５の空調ユニット１Ｅの場合、冷熱用蓄熱フィルター２０がベント吹き出し口１４の位置に設定されている。このため、ベントモード等のようにベントドア１１を開くモードの選択時であって、エンジンを一時的に停止させるアイドルストップ時、実施例４の場合と同様に、顕熱作用と潜熱作用の併合作用により、冷熱用蓄熱フィルター２０を風が通過する際、ベント吹き出し口１４に導かれる風から熱が奪われる。このため、エバポレータ５への冷媒の供給停止後、所定時間だけ前席左右の乗員の上半身位置に、ベントダクト２２及びベントグリル２３を経過し、冷風を送り続けることができることになる。
【００６９】
次に、効果を説明する。
実施例５の空調ユニット１Ｅにあっては、実施例１の(1)〜(3)の効果、及び、実施例４の(8)の効果に加え、下記の効果を得ることができる。
【００７０】
(10) 前記冷熱用蓄熱フィルター２０は、ベント吹き出し口１４の位置であって、冷風の流れに直交する配置により設定したため、エバポレータ５へ冷媒の供給が停止された後、潜熱を有効に利用して所定時間だけ前席左右の乗員の上半身位置に冷風を送り続けることができる。
【実施例６】
【００７１】
実施例６は、温熱用蓄熱フィルター１８をデフ吹き出し口１５の位置に設定すると共に、冷熱用蓄熱フィルター２０をベント吹き出し口１４の位置に設定した例である。
【００７２】
まず、構成を説明する。
図８は実施例６の前後席の温度調整を行う空調ユニット１Ｆ（車両用空気調和装置の一例）を示す縦断面図である。
【００７３】
実施例６の空調ユニット１Ｆは、図８に示すように、空調ケース２と、送風機３と、クリーンフィルタ４と、エバポレータ５と、エアミックスドア６と、ヒータコア７と、温風通路８と、冷風バイパス通路９と、エアミックスチャンバー１０と、ベントドア１１と、デフドア１２と、フットドア１３と、ベント吹き出し口１４と、デフ吹き出し口１５と、フット吹き出し口１６と、リアフット吹き出し口１７と、温熱用蓄熱フィルター１８と、冷熱用蓄熱フィルター２０と、デフダクト２１と、ベントダクト２２と、ベントグリル２３と、を備えている。
【００７４】
前記温熱用蓄熱フィルター１８は、図８に示すように、デフ吹き出し口１５の位置であって、温風の流れに直交する配置により設定している。
【００７５】
前記冷熱用蓄熱フィルター２０は、図８に示すように、ベント吹き出し口１４の位置であって、冷風の流れに直交する配置により設定している。なお、他の構成は、実施例１と同様であるので、図示並びに説明を省略する。
【００７６】
次に、実施例６の空調ユニット１Ｆにおける車室内冷房及び車室内暖房の補完作用を説明する。
実施例６の空調ユニット１Ｆの場合、冷熱用蓄熱フィルター２０がベント吹き出し口１４の位置に設定されている。このため、ベントモード等のようにベントドア１１を開くモードの選択時であって、エンジンを一時的に停止させるアイドルストップ時、実施例４の場合と同様に、顕熱作用と潜熱作用の併合作用により、冷熱用蓄熱フィルター２０を風が通過する際、ベント吹き出し口１４に導かれる風から熱が奪われる。このため、エバポレータ５への冷媒の供給停止後、所定時間だけ前席左右の乗員の上半身位置に、ベントダクト２２及びベントグリル２３を経過し、冷風を送り続けることができることになる。
【００７７】
実施例６の空調ユニット１Ｆの場合、温熱用蓄熱フィルター１８がデフ吹き出し口１５の位置に設定されている。このため、デフモードやデフ／フットモード等のようにデフドア１２を開くモードの選択時であって、エンジンを一時的に停止させるアイドルストップ時、実施例１の場合と同様に、顕熱作用と潜熱作用の併合作用により、温熱用蓄熱フィルター１８を風が通過する際、デフ吹き出し口１５に導かれる風に熱が与えられる。このため、エンジン冷却水の供給停止後、所定時間だけ図外のフロントウインドウに向けて温風を送り続けることができることになる。
【００７８】
次に、効果を説明する。
実施例６の空調ユニット１Ｆにあっては、実施例１の(1)〜(4)の効果、及び、実施例４の(8)の効果に加え、下記の効果を得ることができる。
【００７９】
(11) 温熱用蓄熱フィルター１８は、デフ吹き出し口１５の位置であって、温風の流れに直交する配置により設定し、前記冷熱用蓄熱フィルター２０は、ベント吹き出し口１４の位置であって、冷風の流れに直交する配置により設定したため、ヒータコア７へエンジン冷却水の供給が停止された後、所定時間だけフロントウインドウに向けて温風を送り続けることができると共に、エバポレータ５へ冷媒の供給が停止された後、潜熱を有効に利用して所定時間だけ前席左右の乗員の上半身位置に冷風を送り続けることができる。
【００８０】
以上、本発明の車両用空気調和装置を実施例１〜実施例６に基づき説明してきたが、具体的な構成については、これらの実施例に限られるものではなく、特許請求の範囲の各請求項に係る発明の要旨を逸脱しない限り、設計の変更や追加等は許容される。
【００８１】
実施例１ではヒータコアの直後位置、実施例２ではフットドアの直後位置、実施例３ではフット吹き出し口の位置、実施例４ではエバポレータ直後位置、実施例５ではベント吹き出し口の位置、実施例６ではデフ吹き出し口の位置及びベント吹き出し口の位置、にそれぞれ蓄熱フィルターを設定する例を示した。しかしながら、熱交換器であるエバポレータ及びヒータコアの後流側通路内に蓄熱フィルターを設定するものであれば実施例１〜実施例６の設定態様に限られることはない。要するに、冷房用熱交換器と暖房用熱交換器のうち、少なくとも一方の熱交換器の後流側通路内に、風の流れに直交する配置により蓄熱フィルターを設定するものであれば本発明に含まれる。
【００８２】
実施例１では、固相・液相の相変化を伴って放出あるいは吸収される潜熱により蓄熱を行う潜熱蓄熱材として、球状皮膜の内部にパラフィン系素材を封入してマイクロカプセル化したパラフィン封入カプセルを用いる例を示したが、潜熱蓄熱材としては、パラフィン系素材に限られるものではなく、例えば、ポリエチレングリコール（温熱蓄熱向き）、無機塩・水和物／水溶液（温熱蓄熱、冷熱蓄熱）、水和物スラリー（冷熱蓄熱限定）等をカプセル化やパッケージ化したものであれば使用可能である。
【産業上の利用可能性】
【００８３】
実施例１〜６では、前後席の温度調整を行う空調ユニットへの適用例を示したが、前席のみに温度調整を行う空調ユニットや前席側と後席側を独立に温度調整を行う空調ユニットへも適用することができる。
【図面の簡単な説明】
【００８４】
【図１】実施例１の前後席に温度調整を行う空調ユニット１Ａ（車両用空気調和装置の一例）を示す縦断面図である。
【図２】実施例１の空調ユニット１Ａに設定された温熱用蓄熱フィルター１８を示す図で、(a)は温熱用蓄熱フィルター１８の斜視図を示し、(b)は温熱用蓄熱フィルター１８の断面図を示す。
【図３】実施例１の空調ユニット１Ａにおける蓄熱フィルター無しでのエンジン停止後の吹き出し温度特性と蓄熱フィルター付きでのエンジン停止後の吹き出し温度特性の比較を示す図である。
【図４】実施例２の前後席に温度調整を行う空調ユニット１Ｂ（車両用空気調和装置の一例）を示す縦断面図である。
【図５】実施例３の前後席に温度調整を行う空調ユニット１Ｃ（車両用空気調和装置の一例）を示す正面図である。
【図６】実施例４の前後席に温度調整を行う空調ユニット１Ｄ（車両用空気調和装置の一例）を示す縦断面図である。
【図７】実施例５の前後席に温度調整を行う空調ユニット１Ｅ（車両用空気調和装置の一例）を示す縦断面図である。
【図８】実施例６の前後席に温度調整を行う空調ユニット１Ｆ（車両用空気調和装置の一例）を示す縦断面図である。
【符号の説明】
【００８５】
１Ａ、１Ｂ、１Ｃ、１Ｄ、１Ｅ、１Ｆ  空調ユニット
２  空調ケース
３  送風機
４  クリーンフィルタ
５  エバポレータ（冷却用熱交換器）
６  エアミックスドア
７  ヒータコア（暖房用熱交換器）
８  温風通路
９  冷風バイパス通路
１０  エアミックスチャンバー
１１  ベントドア
１２  デフドア
１３  フットドア
１４  ベント吹き出し口
１５  デフ吹き出し口
１６  フット吹き出し口
１７  リアフット吹き出し口
１８  温熱用蓄熱フィルター（蓄熱フィルター）
１８ａ  パラフィン封入カプセル（潜熱蓄熱材）
１８ｂ  フィルター基材
２０  冷熱用蓄熱フィルター（蓄熱フィルター）
２１  デフダクト
２２  ベントダクト
２３  ベントグリル
【図１】
2008120217.tif 000003
【図２】
2008120217.tif 000004
【図３】
2008120217.tif 000005
【図４】
2008120217.tif 000006
【図５】
2008120217.tif 000007
【図６】
2008120217.tif 000008
【図７】
2008120217.tif 000009
【図８】
2008120217.tif 000010